(57)【要約】【課題】伝送路の状態に応じて、音声ＩＰパケットのヘッダ圧縮および多重化を行うか行わないかを制御し、音声伝送の品質低下をできるだけ抑制する。【解決手段】音声ＩＰパケットをＴＣＲＴＰに基づいてヘッダ圧縮し多重化するパケット通信装置において、パケット出力制御部が、コネクション制御部から入力されるコネクション数、パケット送出部から入力される蓄積データ量、および伝送路の回線状態に基づいて、リアルタイム情報を含むＩＰパケットのヘッダ圧縮および多重化を行うか否かを判断する。【選択図】        図１
2004194232.tif 000002
【特許請求の範囲】
【請求項１】
入力されたＩＰパケットがリアルタイム情報を含むか否かを識別するＩＰパケット識別部と、
上記ＩＰパケット識別部でリアルタイム情報を含むと判断されたＩＰパケットが属するコネクションを確定するコネクション識別部と、
上記コネクション別に、リアルタイム情報を含むＩＰパケットのヘッダを圧縮するヘッダ圧縮部と、
上記ヘッダ圧縮部でヘッダが圧縮されたＩＰパケットを多重化して多重化ＩＰパケットを生成する多重化パケット組立部と、
上記多重化ＩＰパケットを蓄積し、伝送路に送出するパケット送出部と、
リアルタイム情報を含むＩＰパケットのヘッダ圧縮および多重化を行うか否かを判断し、この判断が肯定的な場合に、上記ＩＰパケット識別部でリアルタイム情報を含むと判断されたＩＰパケットを上記ヘッダ圧縮部に供給する第１の伝送方式選択部とを備え、
上記第１の伝送方式選択部は、現在確立されているコネクション数、上記パケット送出部に現在蓄積されているＩＰパケットのデータ量、および上記伝送路上におけるＩＰパケットの損失率の少なくともいずれかに基づいてヘッダ圧縮および多重化を行うか否かを判断するパケット通信装置。
【請求項２】
第１の伝送方式選択部は、現在確立されているコネクション数、パケット送出部に現在蓄積されているＩＰパケットのデータ量、および伝送路上におけるＩＰパケットの損失率の少なくともいずれかを、それらの値に基づいて動的に変更されるしきい値と比較することにより、ヘッダ圧縮および多重化を行うか否かを判断することを特徴とする請求項１記載のパケット通信装置。
【請求項３】
第１の伝送方式選択部は、ヘッダ圧縮および多重化を行うと判断した後、新規に発生したコネクションに属するＩＰパケットのみをヘッダ圧縮部に供給することを特徴とする請求項１または請求項２記載のパケット通信装置。
【請求項４】
第１の伝送方式選択部は、各コネクションのＩＰパケットに含まれる音声情報の無音部分が検出された時点で、ＩＰパケットをヘッダ圧縮部に供給することを特徴とする請求項１から請求項３のうちいずれか１項記載のパケット通信装置。
【請求項５】
多重化パケット組立部は、多重化したＩＰパケットにＩＰヘッダを付加せずにパケット送出部へ出力することを特徴とする請求項１から請求項４のうちいずれか１項記載のパケット通信装置。
【請求項６】
入力されたＩＰパケットがリアルタイム情報を含むか否かを識別するＩＰパケット識別部と、
上記ＩＰパケット識別部でリアルタイム情報を含むと判断されたＩＰパケットが属するコネクションを確定するコネクション識別部と、
上記コネクション別に、リアルタイム情報を含むＩＰパケットのヘッダを圧縮するヘッダ圧縮部と、
上記ヘッダ圧縮部でヘッダが圧縮されたＩＰパケットの複製パケットを作成するパケット複製部と、
上記複製パケットと元のＩＰパケットとを別々に多重化して多重化ＩＰパケットを生成する多重化パケット組立部と、
上記多重化ＩＰパケットを蓄積し、伝送路に送出するパケット送出部と、
上記圧縮部でヘッダが圧縮されたＩＰパケットの複製を行うか否かを判断し、この判断が肯定的な場合に、ヘッダが圧縮されたＩＰパケットを上記パケット複製部に供給する第２の伝送方式選択部とを備え、
上記第２の伝送方式選択部は、現在確立されているコネクション数、上記パケット送出部に現在蓄積されているＩＰパケットのデータ量、および上記伝送路上におけるＩＰパケットの損失率の少なくともいずれかに基づいてＩＰパケットの複製を行うか否かを判断するパケット通信装置。
【請求項７】
第２の伝送方式選択部は、現在確立されているコネクション数、パケット送出部に現在蓄積されているＩＰパケットのデータ量、および伝送路上におけるＩＰパケットの損失率の少なくともいずれかを、それらの値に基づいて動的に変更されるしきい値と比較することにより、ヘッダが圧縮されたＩＰパケットの複製を行うか否かを判断することを特徴とする請求項６記載のパケット通信装置。
【請求項８】
第２の伝送方式選択部は、複製を行うと判断した後、新規に発生したコネクションに属するＩＰパケットのみをヘッダ圧縮部に供給することを特徴とする請求項６または請求項７記載のパケット通信装置。
【請求項９】
第２の伝送方式選択部は、各コネクションのＩＰパケットに含まれる音声情報の無音部分が検出された時点で、ＩＰパケットをヘッダ圧縮部に供給することを特徴とする請求項６から請求項８のうちいずれか１項記載のパケット通信装置。
【請求項１０】
多重化パケット組立部は、多重化したＩＰパケットにＩＰヘッダを付加せずにパケット送出部へ出力することを特徴とする請求項６から請求項９のうちいずれか１項記載のパケット通信装置。
【発明の詳細な説明】
【０００１】
【発明の属する技術分野】
この発明は、パケット通信装置に関するものである。
【０００２】
【従来の技術】
インターネットの普及に伴い、ＩＰ網を使用して音声情報などのリアルタイム情報を伝送する技術が注目されている。音声情報の伝送技術としては、ＶｏＩＰ（Ｖｏｉｃｅ  ｏｖｅｒ  ＩＰ）がよく知られている。ＶｏＩＰでは、デジタル信号に変換した音声情報を適当な長さに分割し、ＲＴＰ（Ｒｅａｌ−ｔｉｍｅ  Ｔｒａｎｓｐｏｒｔ  Ｐｒｏｔｏｃｏｌ）、ＵＤＰ（Ｕｓｅｒ  Ｄａｔａｇｒａｍ  Ｐｒｏｔｏｃｏｌ）、ＩＰ（Ｉｎｔｅｒｎｅｔ  Ｐｒｏｔｏｃｏｌ）ヘッダを付加してＩＰパケット化する。以下、このようにして作成したＩＰパケットを音声ＩＰパケットと呼ぶ。
【０００３】
通常の電話網では、音声情報を６４ｋｂｉｔ／ｓのデジタル情報に変換して伝送するが、ＶｏＩＰでは使用する通信帯域を節約するために、高能率音声符号化方式を適用して音声情報を８ｋｂｉｔ／ｓ程度の帯域に圧縮して伝送するのが一般的である。音声を圧縮することにより、一定時間内に発生する情報量が少なくなるため、圧縮した音声情報を低遅延で伝送するためには、音声情報の圧縮の程度に応じて音声ＩＰパケットのパケット長を短く設定し、少ない情報量でＩＰパケット化を行う必要がある。しかし、音声ＩＰパケットのパケット長を短く設定した場合、音声ＩＰパケット全体に対するヘッダ情報の割合が増大するため、伝送効率が低下するという問題が生じる。例えば、８ｋｂｉｔ／ｓの高能率音声符号化信号を２０ｍｓｅｃ毎にパケット化した場合、音声情報は、２０ｍｓｅｃ×８ｋｂｉｔ／ｓ＝１６０ｂｉｔ＝２０バイトとなるが、ヘッダ情報は、１２バイトのＲＴＰヘッダ、８バイトのＵＤＰヘッダ、２０バイトのＩＰヘッダにより合計４０バイトとなり、音声ＩＰパケットの２／３をヘッダ情報が占めることになる。
【０００４】
この問題を解決する手段として、ＩＰ／ＵＤＰ／ＲＴＰパケットのヘッダの差分情報のみを送信することでヘッダの情報量を削減するＣＲＴＰ（Ｃｏｍｐｒｅｓｓｅｄ  ＲＴＰ）方式が、ＩＥＴＦ（Ｉｎｔｅｒｎｅｔ  Ｅｎｇｉｎｅｅｒｉｎｇ  Ｔａｓｋ  Ｆｏｒｃｅ）により、ＲＦＣ２５０８として規定されている。ＣＲＴＰは、受信側において、受信したヘッダの差分情報と前回までに受信したＩＰパケットのヘッダ情報に基づいてＩＰ／ＵＤＰ／ＲＴＰヘッダを復元する。しかし、ＣＲＴＰを適用するためには、伝送時に経由する全てのルータがＣＲＴＰに対応していなければならないという問題がある。
【０００５】
そこで、ＣＲＴＰによってヘッダを圧縮した複数の音声ＩＰパケットを多重化し、多重化したデータに非圧縮のＩＰヘッダを付加し、１つのＩＰパケットとして伝送する方式が、ＩＥＴＦにおいて、ＴＣＲＴＰ（Ｔｕｎｎｅｌｉｎｇ  Ｍｕｌｔｉｐｌｅｘｅｄ  ＣＲＴＰ）として提案されている。ＴＣＲＴＰを適用することにより、伝送経路のルータがＣＲＴＰに対応していない場合でも、ＣＲＴＰによる伝送効率の改善が可能となる。
【０００６】
しかし、ＴＣＲＴＰでは、入力される音声ＩＰパケットに対して常にヘッダ圧縮を行うため、１つのＩＰパケットが損失した場合、後続のヘッダ圧縮ＩＰパケットは差分情報からヘッダ情報を復元することができずに廃棄される。このため、伝送路の帯域が十分確保できているにもかかわらず、ＩＰパケットの連続廃棄が発生することによって伝送される音声の品質が低下するという問題があった。
【０００７】
この問題を解決するため、例えば、特許文献１に開示された従来のパケット通信装置では、送信端末から受信したフルヘッダパケットまたはＣＲＴＰによるヘッダ圧縮パケットの喪失が発生した場合、受信側装置は次にフルヘッダパケットを受信するまでの間、受信したすべてのヘッダ圧縮パケットを保持しておく。受信側装置は、パケット喪失後に受信したフルヘッダパケットのヘッダの内容に基づいて、保持しておいたヘッダ圧縮パケットの圧縮ヘッダを復元する。
【０００８】
【特許文献１】
特開２００２−２６９６３公報
【０００９】
【発明が解決しようとする課題】
上述したように、ＴＣＲＴＰでは、入力される音声ＩＰパケットに対して、常にヘッダ圧縮と多重化を行っている。ヘッダ圧縮を行った場合、ＩＰパケットが１つ損失すると、後続のＩＰパケットも使用できなくなり、連続して廃棄されてしまう。このため、伝送路の帯域が十分確保できている場合でも、ＩＰパケットの連続廃棄が発生することにより、音声伝送の品質が低下するという問題があった。また、ＴＣＲＴＰでは、音声ＩＰパケットがＵＤＰパケットとして伝送されるため、伝送路で失われたパケットを再送する制御が行われない。そのため、ＩＰパケットの損失が発生した場合、多重化されたＩＰパケットに関連する全チャネルの受信側での音声品質が劣化するという問題があった。
【００１０】
特許文献１に示された従来のパケット通信装置においては、ＩＰパケットの損失が発生した場合に、受信側の処理により音声品質の低下を防ぐようにしているが、フルヘッダパケットを受信するまで圧縮ヘッダの復元ができないため、データの伝送遅延が増大するという問題があった。
【００１１】
この発明は、伝送路へ出力するデータ量や伝送路の状態に応じて、音声ＩＰパケットのヘッダ圧縮および多重化を行うか行わないかを制御し、ＩＰパケットの連続廃棄による音声伝送の品質低下を抑制することを目的とする。
【００１２】
【課題を解決するための手段】
この発明に係るパケット通信装置は、入力されたＩＰパケットがリアルタイム情報を含むか否かを識別するＩＰパケット識別部と、ＩＰパケット識別部でリアルタイム情報を含むと判断されたＩＰパケットが属するコネクションを確定するコネクション識別部と、コネクション別に、リアルタイム情報を含むＩＰパケットのヘッダを圧縮するヘッダ圧縮部と、ヘッダ圧縮部でヘッダが圧縮されたＩＰパケットを多重化して多重化ＩＰパケットを生成する多重化パケット組立部と、多重化ＩＰパケットを蓄積し、伝送路に送出するパケット送出部と、リアルタイム情報を含むＩＰパケットのヘッダ圧縮および多重化を行うか否かを判断し、この判断が肯定的な場合に、ＩＰパケット識別部でリアルタイム情報を含むと判断されたＩＰパケットをヘッダ圧縮部に供給する第１の伝送方式選択部とを備え、第１の伝送方式選択部は、現在確立されているコネクション数、パケット送出部に現在蓄積されているＩＰパケットのデータ量、および伝送路上におけるＩＰパケットの損失率の少なくともいずれかに基づいてヘッダ圧縮および多重化を行うか否かを判断するものである。
【００１３】
この発明に係るパケット通信装置は、入力されたＩＰパケットがリアルタイム情報を含むか否かを識別するＩＰパケット識別部と、ＩＰパケット識別部でリアルタイム情報を含むと判断されたＩＰパケットが属するコネクションを確定するコネクション識別部と、コネクション別に、リアルタイム情報を含むＩＰパケットのヘッダを圧縮するヘッダ圧縮部と、ヘッダ圧縮部でヘッダが圧縮されたＩＰパケットの複製パケットを作成するパケット複製部と、複製パケットと元のＩＰパケットとを別々に多重化して多重化ＩＰパケットを生成する多重化パケット組立部と、多重化ＩＰパケットを蓄積し、伝送路に送出するパケット送出部と、圧縮部でヘッダが圧縮されたＩＰパケットの複製を行うか否かを判断し、この判断が肯定的な場合に、ヘッダが圧縮されたＩＰパケットをパケット複製部に供給する第２の伝送方式選択部とを備え、第２の伝送方式選択部は、現在確立されているコネクション数、パケット送出部に現在蓄積されているＩＰパケットのデータ量、および伝送路上におけるＩＰパケットの損失率の少なくともいずれかに基づいてＩＰパケットの複製を行うか否かを判断するものである。
【００１４】
【発明の実施の形態】
以下、この発明の実施の様々な形態を説明する。
実施の形態１．
図１は、この発明の実施の形態１によるパケット通信装置（パケット集線装置１００）の構成を示すブロック図である。パケット集線装置１００は、あるパケット交換網に属する複数のパケット通信端末から送信されたＩＰパケットを収集し、パケット交換機や他のパケット集線装置等に向けてパケット交換網へ出力する装置である。パケット集線装置１００は、ＩＰパケット識別部１０１、コネクション識別部１０２、コネクション別制御部１０３、多重化パケット組立部１０６、パケット送出部１０７、多重化パケット出力制御部１０８（第１の伝送方式選択部）を有する。
コネクション別制御部１０３はパケット集線装置１００が収容するコネクション毎に用意されている。各コネクション別制御部１０３は、切り替えスイッチ１０４（第１の伝送方式選択部）、ヘッダ圧縮部１０５を有する。
【００１５】
次に動作について説明する。
まず、パケット集線装置１００に、音声ＩＰパケット以外のパケット（以下、非音声ＩＰパケットという。）が入力された場合の動作について説明する。パケット集線装置１００が受信したＩＰパケットは、ＩＰパケット識別部１０１に入力される。ＩＰパケット識別部１０１は、入力されたＩＰパケットのヘッダ情報を参照し、音声ＩＰパケットか否かを識別する。具体的には、図２に示すＩＰヘッダの「Ｐｒｏｔｏｃｏｌ」領域にＵＤＰを示す値が格納されていない場合は、非音声ＩＰパケットと見なす。また、ＩＰヘッダの「Ｐｒｏｔｏｃｏｌ」領域にＵＤＰを示す値が格納されている場合、ＩＰパケット識別部１０１は、ＵＤＰヘッダの「ｄｅｓｔｉｎａｔｉｏｎ  ｐｏｒｔ」を確認し、ｐｏｒｔ番号に音声ＩＰパケットに対応する値が格納されていない場合は、非音声ＩＰパケットと見なす。
【００１６】
ＩＰパケット識別部１０１は、入力されたＩＰパケットが非音声ＩＰパケットであると判断した場合、当該ＩＰパケットをパケット送出部１０７へ出力する。パケット送出部１０７は、受信した非音声ＩＰパケットを一旦自身のバッファ（図示せず）に蓄積した後、ＩＰ網へ送出する。また、パケット送出部１０７は、バッファに格納されている全ＩＰパケットの合計長を定期的に調査し、調査した結果を現在の蓄積データ量として多重化パケット出力制御部１０８へ供給する。
【００１７】
次に、パケット集線装置１００に音声ＩＰパケットが入力された場合の動作について説明する。
【００１８】
パケット集線装置１００に入力されたＩＰパケットは、ＩＰパケット識別部１０１で音声ＩＰパケットか否かを識別される。ＩＰヘッダの「Ｐｒｏｔｏｃｏｌ」領域にＵＤＰを示す値が格納されており、かつＵＤＰヘッダのｐｏｒｔ番号に音声ＩＰパケットに対応する値が格納されている場合は、音声ＩＰパケットと見なされる。ＩＰパケット識別部１０１は、入力されたＩＰパケットが音声ＩＰパケットであると判断すると、コネクション識別部１０２へ音声ＩＰパケットを出力する。
【００１９】
次に、コネクション識別部１０２は、ＩＰパケット識別部１０１から入力された音声ＩＰパケットのヘッダ情報を参照して、音声ＩＰパケットが属するコネクションを識別する。コネクション識別部１０２は、ＩＰパケット中のＩＰヘッダの「ｓｏｕｒｃｅ  ＩＰ  ａｄｄｒｅｓｓ」、「ｄｅｓｔｉｎａｔｉｏｎ  ＩＰａｄｄｒｅｓｓ」や、ＵＤＰヘッダの「ｓｏｕｒｃｅ  ｐｏｒｔ」、「ｄｅｓｔｉｎａｔｉｏｎ  ｐｏｒｔ」等をもとにコネクションを識別する。
コネクション識別部１０２は、これらのコネクション識別に必要な情報と、各コネクションに対応するコネクション別制御部１０３を関連付けるコネクション識別用テーブル（図示せず）を有している。コネクション識別部１０２は、音声ＩＰパケットが入力される度にコネクション識別用テーブルを参照し、テーブル内に入力された音声ＩＰパケットのヘッダ情報から識別されたコネクションと一致するものが無い場合は新規のコネクションであると判定する。この場合、コネクション識別部１０２は、入力された音声ＩＰパケットからコネクションの識別に必要な情報を抽出し、コネクション識別用テーブルに登録すると共に、未使用のコネクション別制御部１０３を割り当てて、その識別情報を登録する。そして、入力された音声ＩＰパケットを、割り当てたコネクション別制御部１０３へ出力する。
一方、入力された音声ＩＰパケットが属するコネクションがコネクション識別用テーブル内に既に存在している場合には、コネクション識別用テーブルから、対応するコネクション別制御部１０３の情報を取得し、音声ＩＰパケットを、そのコネクション別制御部１０３へ出力する。
また、コネクション識別部１０２は、定期的にコネクション識別用テーブルを調査し、一定時間音声ＩＰパケットが入力されていないコネクションがあれば、コネクションの終了と判定して、そのコネクションの情報をコネクション識別用テーブルから削除すると共に、対応するコネクション別制御部１０３を開放する。また、コネクション識別部１０２は、定期的にコネクション識別用テーブルに格納されているコネクションの数を調査し、調査した結果を現在のコネクション数として多重化パケット出力制御部１０８へ出力する。
【００２０】
次にコネクション別制御部１０３の動作について説明する。コネクション別制御部１０３は、コネクション識別部１０２から入力された音声ＩＰパケットの経路を、切り替えスイッチ１０４によって選択する。切り替えスイッチ１０４がパケット送出部１０７への経路を選択している場合には、音声ＩＰパケットはパケット送出部１０７に出力される。
【００２１】
パケット送出部１０７は、コネクション別制御部１０３から入力された音声ＩＰパケットを受信し、バッファ内に蓄積する。そして、パケット送出部１０７は、バッファに蓄積した音声ＩＰパケットをＩＰ網へ送出する。また、パケット送出部１０７は、バッファに格納されている全てのＩＰパケットの合計長を定期的に調査し、調査した結果を現在の蓄積データ量として多重化パケット出力制御部１０８へ出力する。
【００２２】
一方、切り替えスイッチ１０４がヘッダ圧縮部１０５への経路を選択している場合には、ヘッダ圧縮部１０５は、入力された音声ＩＰパケットのＩＰ／ＵＤＰ／ＲＴＰヘッダを圧縮する。なお、ＩＰ／ＵＤＰ／ＲＴＰヘッダの圧縮はＣＲＴＰの規定に基づいて行う。従来技術に関連して述べたように、ＣＲＴＰはＩＰ／ＵＤＰ／ＲＴＰパケットのヘッダの差分情報のみを送信することでヘッダの情報量を削減する。
【００２３】
図３は、ＴＣＲＴＰによるＩＰパケットのヘッダ圧縮および多重化処理の方法を示す図である。音声ＩＰパケット３０１は音声情報を伝送するＩＰパケットを示す。ヘッダ圧縮部１０５は、入力された音声ＩＰパケット３０１のＩＰ／ＵＤＰ／ＲＴＰヘッダをＣＲＴＰに従って圧縮し、ＣＲＴＰパケット３０２を生成する。
【００２４】
ただし、ＣＲＴＰでは、最初に受信したＩＰパケットについては、ＩＰ／ＵＤＰ／ＲＴＰヘッダの圧縮を行わずにフルヘッダのままで送信する。２番目以降に受信したＩＰパケットについては、ＩＰ／ＵＤＰ／ＲＴＰヘッダは図４に示す圧縮ヘッダに圧縮される。圧縮ヘッダの各領域に格納される情報については、ＩＥＴＦにより発行されているＲＦＣ２５０８に詳細が規定されているので、ここでは説明を省略する。
【００２５】
ヘッダ圧縮部１０５が出力したＣＲＴＰパケット３０２は、多重化パケット組立部１０６に入力される。多重化パケット組立部１０６は、各コネクション別制御部１０３のヘッダ圧縮部１０５が出力したＣＲＴＰパケットを多重化し、多重化パケット３０３を生成する。ＣＲＴＰパケットの多重化は、ＴＣＲＴＰの規定に基づいて行う。ＴＣＲＴＰでは、多重化方式として、ＰＰＰＭＵＸ（Ｐｏｉｎｔ−Ｔｏ−Ｐｏｉｎｔ  Ｐｒｏｔｏｃｏｌ  Ｍｕｌｔｉｐｌｅｘｉｎｇ）を適用する。ＰＰＰＭＵＸでは、各ＣＲＴＰパケットに対し、図５に示す多重化ヘッダを付加する。多重化ヘッダの各領域に格納される情報については、ＩＥＴＦにより発行されているＲＦＣ３１５３に詳細が規定されているので、ここでは説明を省略する。
【００２６】
多重化パケット組立部１０６は、多重化ヘッダを付加したＣＲＴＰパケット３０２を多重化し、多重化したＣＲＴＰパケットに、ヘッダ情報として「Ｍｕｘ  ＰＰＰ  Ｐｒｏｔｏｃｏｌ  Ｆｉｅｌｄ」（１バイト）を付加する。このようにして、多重化パケット３０３が作成される。
【００２７】
次に、多重化パケット組立部１０６は、多重化パケット３０３にＩＰヘッダを付加し、ＩＰパケット３０４を作成する。
【００２８】
多重化パケット組立部１０６において作成されたＩＰパケット３０４は、パケット送出部１０７に出力され、パケット送出部１０７によってＩＰ網へ送出される。
【００２９】
次に、多重化パケット出力制御部１０８の動作について説明する。多重化パケット出力制御部１０８は、コネクション識別部１０２から通知された現在のコネクション数と、あらかじめ設定されているコネクション数のしきい値（しきい値Ａ）とを比較する。コネクション数が小さいと多重化できるＩＰパケット数が小さくなるため、多重化によるデータ削減の効果は低くなる。例えば、入力される音声ＩＰパケットのコネクションが１つしかない場合には、多重化処理の効果は非常に低い。逆に、コネクション数が大きいとＩＰパケット数が大きくなるため、多重化効率は高くなる。多重化パケット出力制御部１０８は、コネクション識別部１０２から通知された現在のコネクション数がしきい値Ａよりも大きいと判定した場合に、切り替えスイッチ１０４に対し、ヘッダ圧縮部１０５への経路を選択させる制御信号を出力する。
【００３０】
一方、コネクション識別部１０２から受信した現在のコネクション数がしきい値Ａよりも小さいと判定した場合には、多重化パケット出力制御部１０８は、パケット送出部１０７から通知されたパケット送出部１０７のバッファ中のＩＰパケット合計長と、しきい値Ｂとを比較する。パケット送出部１０７に蓄積されたデータ量が多いとＩＰパケットを出力するＩＰ網への負荷が高くなり、蓄積データ量が少なければＩＰ網への負荷は小さくなる。比較の結果、パケット送出部１０７から通知された現在の蓄積データ量がしきい値Ｂよりも大きいと判定した場合には、多重化パケット出力制御部１０８は切り替えスイッチ１０４に対し、ヘッダ圧縮部１０５への経路を選択させる制御信号を出力する。
【００３１】
一方、コネクション識別部１０２から受信した現在のコネクション数がしきい値Ａよりも小さく、パケット送出部１０７から受信した現在の蓄積データ量がしきい値Ｂよりも小さいと判定した場合には、パケット多重化出力制御部１０８は、他のパケット集線装置等から通知されたパケット損失率を、あらかじめ設定されたパケット損失率のしきい値（しきい値Ｃ）と比較する。他のパケット集線装置等は、受信したＩＰパケットのヘッダ情報等からパケットの損失を検知し、パケット損失率としてパケット集線装置１００に通知する。パケット損失率はＩＰ網の回線状態の良し悪しをあらわしている。パケット多重化出力制御部１０８は、比較の結果、パケット損失率がしきい値Ｃよりも低いと判定した場合、切り替えスイッチ１０４に対し、ヘッダ圧縮部１０５への経路を選択させる制御信号を出力する。
【００３２】
一方、他のパケット集線装置等から受信したパケット損失率がしきい値Ｃよりも高いと判定した場合には、多重化パケット出力制御部１０８は、切り替えスイッチ１０４に対し、パケット送出部１０７への経路を選択させる制御信号を出力する。
【００３３】
以上のように、この実施の形態１によれば、多重化パケット出力制御部１０８が、現在確立しているコネクション数、パケット送出部１０７からＩＰ網へ出力される蓄積データ量、および伝送路の回線状態に基づいて、切り替えスイッチ１０４の経路を制御するようにしたので、送出されるべきデータ量に対して伝送路の帯域に余裕がある場合は、音声ＩＰパケットのヘッダ圧縮および多重化を行わないようにし、ＩＰパケットの連続廃棄による音声伝送の品質低下を抑制することが出来る。
【００３４】
多重化パケット出力制御部１０８は、コネクション識別部１０２から入力されるコネクションの数に基づいて切り替えスイッチ１０４の経路を切り替えるようにしたことにより、パケットの多重化効率が低い場合には、ヘッダ圧縮および多重化を行わずに音声ＩＰパケットを送出することが可能となり、伝送路の帯域を有効に利用して、パケットロスによる音声品質の劣化を抑制することができる。
【００３５】
また、多重化パケット出力制御部１０８は、パケット送出部１０７から通知される出力データ量に基づいて切り替えスイッチ１０４の経路を切り替えるようにした。例えば、パケット送出部１０７が空になる頻度が高い場合、伝送路への出力負荷は低いと考えられる。このような場合、ヘッダ圧縮および多重化を行わずに送出するようにした。よって、伝送路への負荷に応じて、パケットロスによる音声品質の劣化を抑制することができる。
【００３６】
また、多重化パケット出力制御部１０８は、他のパケット集線装置等から通知されるパケット損失率に基づいて切り替えスイッチ１０４の経路を切り替えるようにした。例えば、パケット損失率が高い場合は、パケットロスによる音声品質の劣化が生じやすいと考えられる。このような場合には、ヘッダ圧縮および多重化を行わずに送出するようにした。よって、伝送路の回線状態に応じて、音声品質の劣化を抑制することができる。
【００３７】
なお、多重化パケット出力制御部１０８は、コネクション識別部１０２から通知された現在のコネクション数、パケット送出部１０７から通知された現在の蓄積データ量、他のパケット集線装置等から通知されたパケット損失率のうちのいずれか１つ、或いはいずれか２つの値に基づいて、切り替えスイッチ１０４に対して出力する経路選択の制御信号を決定してもよい。
【００３８】
また、現在のコネクション数、現在の蓄積データ量およびパケット損失率の条件判定に使用するしきい値Ａ、しきい値Ｂ、しきい値Ｃは、動的に変動させるようにしてもよい。例えば、現在のコネクション数に応じて、それぞれのしきい値を変動させれば、パケットの多重化効率に応じて、適切な量のＩＰパケットをヘッダ圧縮し、多重化して送出することができる。また、現在の蓄積データ量に応じて、それぞれのしきい値を変動させれば、伝送路へかかる負荷に応じて、適切なしきい値を設定することができる。また、伝送路上のパケット損失率に応じて、それぞれのしきい値を変動させれば、回線の状態に応じて、適切なしきい値を設定することができる。また、これらの条件を組み合わせてしきい値を決定してもよい。
【００３９】
また、多重化パケット出力制御部１０８は、他のパケット集線装置等から入力されたパケット損失率を基に、伝送路の回線状態に合わせて送出するＩＰパケットの圧縮を制御しているが、伝送路で中継されるルータの輻輳状態に基づいて制御することもできる。この場合には、パケット損失率が高ければ伝送路で中継されるルータにおいて輻輳が発生したと考えられるので、ヘッダ圧縮および多重化を行ってＩＰパケット数を抑制するように制御できる。
【００４０】
実施の形態１では、現在のコネクション数、現在の蓄積データ量およびパケット損失率が条件を満たした場合、多重化パケット出力制御部１０８は、全てのコネクション別制御部１０３の切り替えスイッチ１０４に経路切り替えの制御信号を出力している。しかし、切り替えスイッチ１０４の経路を切り替えると、ＩＰパケットの伝送方法の変更に伴う処理遅延のゆらぎが生じ、音声品質の劣化につながる。そのため、経路切り替えの条件が満たされた後に新規に発生したコネクションについてのみ、対応するコネクション別制御部１０３の切り替えスイッチ１０４の経路を切り替えるようにしてもよい。この場合には、多重化パケット制御部１０８は、経路切り替えの条件をすべて満たしたと判断した後に新規に発生したコネクションに対応するコネクション別制御部１０３の情報をコネクション識別部１０２から取得する。そして、それらのコネクション別制御部１０３の切り替えスイッチ１０４に対してのみ、経路選択の制御信号を出力する。このような制御を行うことにより、伝送方法の切り替えによって生じる処理遅延のゆらぎを防ぎ、音声品質の劣化を抑制することが可能となる。
【００４１】
また、実施の形態１では、現在のコネクション数、現在の蓄積データ量およびパケット損失率が条件を満たした場合、多重化パケット出力制御部１０８は、切り替えスイッチ１０４の経路を即座に切り替えているが、各コネクションのＩＰパケットに含まれる音声信号の無音部分を検出し、無音部分が検出された時点で対応するコネクション別制御部１０３の切り替えスイッチ１０４の経路を切り替えるようにしてもよい。具体的には、音声ＩＰパケットが各コネクション別制御部１０３に入力されたら、まず、音声データ判定部（図示せず）にて無音部分の検出を行う。多重化パケット出力制御部１０８は、各コネクション別制御部１０３の音声データ判定部からこの検出結果を受信し、無音を検出した時点で対応するコネクション別制御部１０３の切り替えスイッチ１０４に制御信号を出力する。このように、伝送方法の変更を音声信号の無音部分で行うことにより、伝送方法の変更に伴う処理遅延のゆらぎが音声信号の有音部分で生じることを防ぐことが出来るので、音声品質の劣化を抑制することが可能となる。
【００４２】
また、実施の形態１では、多重化パケット組立部１０６は、ＴＣＲＴＰの規定に基づいて多重化したパケット（多重化パケット３０３）をＩＰパケット化してパケット送出部１０７に出力しているが、パケット集線装置間の伝送路でルータを経由しない場合には、多重化したパケットをＩＰパケット化せずに伝送するようにしてもよい。これにより、多重化パケットに付加されるＩＰヘッダのオーバヘッドが削減でき、ルータを経由しない伝送路においても、伝送効率を向上させることが可能となる。
【００４３】
また、実施の形態１では、ＩＰパケット識別部１０１において、音声ＩＰパケットのみをヘッダ圧縮および多重化の対象としているが、音声ＩＰパケット以外に、ビデオなどのリアルタイム情報を含むＩＰパケットをヘッダ圧縮および多重化の対象にしてもよい。
【００４４】
また、実施の形態１では、音声ＩＰパケットと非音声ＩＰパケットは、パケット送出部１０７において同一のバッファに蓄積されるが、パケット送出部１０７に音声ＩＰパケット用と非音声ＩＰパケット用の別々のバッファを用意し、音声ＩＰパケット用のバッファに蓄積されているＩＰパケットを、優先的に出力するようにしてもよい。
【００４５】
また、実施の形態１では、パケット集線装置１００が、パケット通信端末からのＩＰパケットを受信しているが、パケット通信端末以外の装置からのＩＰパケットを受信するようにしてもよい。例えば、ルータや交換機などの中継装置からのＩＰパケットを受信する場合にもこの発明を適用出来る。
【００４６】
実施の形態２．
図６は、この発明の実施の形態２によるパケット通信装置の構成を示すブロック図である。実施の形態１と同様にパケット集線装置に適用した場合について説明する。図中、図１と同一の符号は、同一の構成要素を示しており、実施の形態１と同様に動作する。実施の形態２に係るパケット集線装置２００では、図６に示すように、コネクション別制御部１０３に代えてコネクション別制御部２０２、多重化パケット出力制御部１０８に代えて多重化パケット出力制御部２０５（第２の伝送方式選択部）、多重化パケット組立部１０６に代えて多重化パケット組立部２０４、さらにパケット複製部２０３を有する。コネクション別制御部２０２は、パケット集線装置２００が収容するコネクション毎に用意される。各コネクション別制御部２０２は、切り替えスイッチ２０１（第２の伝送方式選択部）を有している。多重化パケット組立部２０４は、実施の形態１の多重化パケット組立部１０６と同様の動作をするが、コネクション別制御部２０２とパケット複製部２０３から出力されるＣＲＴＰパケットを別々のバッファに取り込んで多重化する点が異なる。
【００４７】
次に動作について説明する。
パケット集線装置２００に非音声ＩＰパケットが入力された場合の動作は、実施の形態１と同様であるため説明を省略する。また、パケット集線装置２００に音声ＩＰパケットが入力され、多重化パケット出力制御部２０５からの制御信号により、切り替えスイッチ１０４がパケット送出部１０７への経路を選択する場合についても、実施の形態１と同様の動作であるため説明を省略する。なお、多重化パケット出力制御部２０５による制御の条件については後述する。
【００４８】
また、パケット集線装置に音声ＩＰパケットが入力され、多重化パケット出力制御部２０５からの制御信号により、切り替えスイッチ１０４がヘッダ圧縮部１０５への経路を選択するとともに、切り替えスイッチ２０１が多重化パケット組立部２０４への経路を選択する場合については、実施の形態１において、切り替えスイッチ１０４がヘッダ圧縮部１０５への経路を選択する場合の動作と同様である。
【００４９】
パケット集線装置２００に音声ＩＰパケットが入力され、多重化パケット出力制御部２０５からの制御信号により、切り替えスイッチ１０４がヘッダ圧縮部１０５への経路を選択するとともに、切り替えスイッチ２０１が、パケット複製部２０３への経路を選択する場合の動作について説明する。なお、この場合において、パケット集線装置２００に入力されたＩＰパケットが、音声ＩＰパケットであると識別され、コネクション別制御部２０２に入力された後、ヘッダ圧縮部１０５でヘッダが圧縮されてＣＲＴＰパケットとして出力されるまでの動作については実施の形態１と同様であるため、説明を省略する。
【００５０】
ヘッダ圧縮部１０５から出力されたＣＲＴＰパケットは、切り替えスイッチ２０１が選択した経路にしたがって、パケット複製部２０３に入力される。パケット複製部２０３は、入力されたＣＲＴＰパケットを複製する。この結果、同一の情報を持つ２つのＣＲＴＰパケットが得られる。そして、これら２つのＣＲＴＰパケットを多重化パケット組立部２０４へ出力する。
【００５１】
多重化パケット組立部２０４は、パケット複製部２０３から入力されたＣＲＴＰパケットの多重化を行う。多重化パケット組立部２０４は、２つの多重化用バッファを有しており、２つの同一のＣＲＴＰパケットが入力されると、それぞれのＣＲＴＰパケットを別々の多重化用バッファに格納する。そして、各多重化用バッファに蓄積されたＣＲＴＰパケットをそれぞれ多重化し、ＩＰヘッダを付加してＩＰパケット化する。なお、ＣＲＴＰパケットの多重化に関しては、実施の形態１で説明したＴＣＲＴＰによる方法と同様なので、説明を省略する。
【００５２】
次に、多重化パケット組立部２０４は、多重化ＩＰパケットを、パケット送出部１０７に出力する。パケット送出部１０７は、多重化パケット組立部２０４から出力されたＩＰパケットをバッファ内に蓄積した後に、ＩＰ網へ送出する。また、パケット送出部１０７は、バッファに格納されている全てのＩＰパケットの合計長を定期的に調査し、調査した結果を現在の蓄積データ量として多重化パケット出力制御部２０５へ出力する。
【００５３】
次に、多重化パケット出力制御部２０５の動作について説明する。まず、多重化パケット出力制御部２０５は、コネクション識別部１０２から現在のコネクション数の通知を受け、あらかじめ設定されたコネクション数のしきい値（しきい値Ａ）と比較する。次に、多重化パケット出力制御部２０５は、パケット送出部１０７から現在の蓄積データ量を受信し、あらかじめ設定されたデータ量のしきい値（しきい値Ｂ）と比較する。次に、パケット多重化出力制御部２０５は、伝送路上の他のパケット集線装置等からパケット損失率を受信し、あらかじめ設定されたパケット損失率のしきい値（しきい値Ｃ）と比較する。
【００５４】
比較を行った結果、コネクション識別部１０２から受信した現在のコネクション数がしきい値Ａよりも大きいと判定されるか、もしくはパケット送出部１０７から受信した現在の蓄積データ量がしきい値Ｂよりも大きいと判定された場合、多重化パケット出力制御部２０５は、切り替えスイッチ１０４に対して、ヘッダ圧縮部１０５への経路を選択させる制御信号を出力する。また、切り替えスイッチ２０１に対しては、多重化パケット組立部２０４への経路を選択する制御信号を出力する。
【００５５】
コネクション識別部１０２から通知された現在のコネクション数がしきい値Ａよりも小さいと判定され、なおかつパケット送出部１０７から通知された現在の蓄積データ量がしきい値Ｂよりも小さいと判定され、なおかつ他のパケット集線装置等から通知されたパケット損失率がしきい値Ｃよりも高いと判定された場合には、多重化パケット出力制御部２０５は、切り替えスイッチ１０４に対して、ヘッダ圧縮部１０５への経路を選択させる制御信号を出力する。また、切り替えスイッチ２０１に対しては、パケット複製部２０３への経路を選択する制御信号を出力する。
【００５６】
また、コネクション識別部１０２から通知された現在のコネクション数がしきい値Ａよりも小さいと判定され、なおかつパケット送出部１０７から通知された現在の蓄積データ量がしきい値Ｂよりも小さいと判定され、なおかつ他のパケット集線装置等から通知されたパケット損失率がしきい値Ｃよりも低いと判定された場合には、多重化パケット出力制御部２０５は、切り替えスイッチ１０４に対してパケット送出部１０７への経路を選択させる制御信号を出力する。
【００５７】
以上のように、この実施の形態２によれば、多重化パケット出力制御部２０５が、現在確立しているコネクション数、パケット送出部１０７からＩＰ網へ出力される蓄積データ量、および伝送路の回線状態に基づいて、切り替えスイッチ１０４および切り替えスイッチ２０１の経路を制御するようにしたので、ＩＰパケットの出力負荷が低く、パケットの多重化効率が低く、かつ伝送路の回線状態が良好な場合は、ヘッダ圧縮および多重化を行わずに音声ＩＰパケットを伝送路へ送出し、ＣＲＴＰパケットの廃棄による音声品質の劣化を抑制することができるという効果が得られる。
【００５８】
また、この実施の形態２によれば、ＩＰパケットの出力負荷が低く、パケットの多重化効率が低く、かつ伝送路の回線状態が悪い場合は、パケット複製部２０３がヘッダ圧縮されたＩＰパケットを複製し、多重化パケット組立部２０４は複製されたＩＰパケットを元のＩＰパケットと別に多重化して伝送路に送出するようにしたので、伝送路上でのＣＲＴＰパケットの喪失を抑制することができる。
【００５９】
なお、実施の形態２では、切り替えスイッチ１０４および切り替えスイッチ２０１の経路を切り替える条件として、コネクション識別部１０２から通知された現在のコネクション数、パケット送出部１０７から通知された現在の蓄積データ量、および他のパケット集線装置等から通知されたパケット損失率を使用しているが、これらの条件のうちのいずれか１つ、或いはいずれか２つを用いて切り替えスイッチ１０４および切り替えスイッチ２０１の経路を切り替えるようにしてもよい。
【００６０】
また、現在のコネクション数、現在の蓄積データ量およびパケット損失率の条件判定に使用するしきい値Ａ、しきい値Ｂ、しきい値Ｃは、動的に変動させるようにしてもよい。例えば、現在の蓄積データ量に応じて、それぞれのしきい値を変動させれば、伝送路へかかる負荷に応じて、適切な量のＩＰパケットをヘッダ圧縮し、多重化して送出することができる。また、伝送路上のパケット損失率に応じて、それぞれのしきい値を変動させれば、回線の状態に応じて、適切なしきい値を設定することができる。また、これらの条件を組み合わせてしきい値を決定してもよい。
【００６１】
また、実施の形態２では、現在のコネクション数、現在の蓄積データ量およびパケット損失率が条件を満たした場合、多重化パケット出力制御部２０５は、全てのコネクション別制御部２０２の切り替えスイッチ１０４または切り替えスイッチ２０１に経路切り替えの制御信号を出力している。しかし、切り替えスイッチ１０４および切り替えスイッチ２０１の経路を切り替えると、ＩＰパケットの伝送方法の変更に伴う処理遅延のゆらぎが生じ、音声品質の劣化につながる。そのため、経路切り替えの条件が満たされた後に新規に発生したコネクションについてのみ、対応するコネクション別制御部２０２の切り替えスイッチ１０４または切り替えスイッチ２０１の経路を切り替えるようにしてもよい。この場合には、多重化パケット制御部２０５は、経路切り替えの条件を満たしたと判断した後に新規に発生したコネクションに対応するコネクション別制御部２０２の情報をコネクション識別部１０２から取得する。そして、それらのコネクション別制御部２０２の切り替えスイッチ１０４または切り替えスイッチ２０１に対してのみ、経路選択の制御信号を出力する。このような制御を行うことにより、伝送方法の切り替えによって生じる処理遅延のゆらぎを防ぎ、音声品質の劣化を抑制することが可能となる。
【００６２】
また、実施の形態２では、現在のコネクション数、現在の蓄積データ量およびパケット損失率が条件を満たした場合、パケット多重化出力制御部２０５は、切り替えスイッチ１０４または切り替えスイッチ２０１の経路を即座に切り替えているが、各コネクションのＩＰパケットに含まれる音声信号の無音部分を検出し、無音部分が検出された時点で対応するコネクション別制御部２０２の切り替えスイッチ１０４または切り替えスイッチ２０１の経路を切り替えるようにしてもよい。具体的には、音声ＩＰパケットが各コネクション別制御部２０２に入力されたら、まず、音声データ判定部（図示せず）にて無音部分の検出を行う。多重化パケット出力制御部２０５は、各コネクション別制御部２０２の切り替えスイッチ１０４または切り替えスイッチ２０１に制御信号を出力する。このように、伝送方法の変更を音声信号の無音部分で行うことにより、伝送方法の変更に伴う処理遅延のゆらぎが音声信号の有音部分で生じることを防ぐことができるので、音声品質の劣化を抑制することが可能となる。
【００６３】
また、実施の形態２では、多重化パケット組立部２０４は、ＴＣＲＴＰの規定に基づいて多重化したパケットをＩＰパケット化してパケット送出部１０７に出力しているが、パケット集線装置間の伝送路でルータを経由しない場合は、多重化したパケットをＩＰパケット化せずに伝送するようにしてもよい。これにより、多重化パケットに付加されるＩＰヘッダのオーバヘッドが削減でき、ルータを経由しない伝送路においても、伝送効率を向上させることが可能となる。
【００６４】
また、実施の形態２では、切り替えスイッチ１０４および切り替えスイッチ２０１を用いてＩＰパケットの処理経路を切り替えているが、切り替えスイッチ１０４を削除し、コネクション別制御部２０２に入力されるＩＰパケットが常にヘッダ圧縮部１０５に入力されるようにし、切り替えスイッチ２０１を用いてＣＲＴＰパケットの複製の制御のみ行うようにしてもよい。
【００６５】
また、実施の形態２では、全てのコネクションに対応するＣＲＴＰパケットをパケット複製部２０３による複製の対象にしているが、各コネクションに優先度を設定し、優先度の高いコネクションに対応するＣＲＴＰパケットのみ複製を行うようにしてもよい。
【００６６】
また、実施の形態２では、全てのＣＲＴＰパケットをパケット複製部２０３による複製の対象としているが、ＣＲＴＰパケットのヘッダが十分圧縮されている場合のみ複製を行うようにしてもよい。ＣＲＴＰによるヘッダ圧縮において、圧縮後のヘッダ長は最大でも圧縮前のヘッダ長と同じ長さである。このようなＣＲＴＰパケットを複製した場合、伝送路への出力負荷が著しく増大する。したがって、ヘッダ圧縮によってヘッダが十分圧縮された場合のみ複製の対象とすることにより、伝送路への出力負荷が著しく増大することを防ぐことができる。
【００６７】
また、実施の形態２では、ＩＰパケット識別部１０１において、音声ＩＰパケットのみをヘッダ圧縮および多重化の対象としているが、音声ＩＰパケット以外に、ビデオのようなリアルタイム情報を含むＩＰパケットを、ヘッダ圧縮および多重化の対象にしてもよい。
【００６８】
また、実施の形態２では、音声ＩＰパケットと非音声ＩＰパケットは、パケット送出部１０７において同一のバッファに蓄積されるが、パケット送出部１０７に音声ＩＰパケット用と非音声ＩＰパケット用の別々のバッファを用意し、音声ＩＰパケット用のバッファに蓄積されているＩＰパケットを、優先的に出力するようにしてもよい。
【００６９】
また、実施の形態２では、パケット集線装置１００が、パケット通信端末からのＩＰパケットを受信しているが、パケット通信端末以外の装置からのＩＰパケットを受信するようにしてもよい。例えば、ルータや交換機などの中継装置からのＩＰパケットを受信する場合にも適用できる。
【００７０】
【発明の効果】
以上のように、この発明によれば、多重化パケット出力制御部が、コネクション制御部から入力されるコネクション数、パケット送出部から入力される蓄積データ量、および伝送路の回線状態に基づいて、リアルタイム情報を含むＩＰパケットのヘッダ圧縮および多重化を行うか否かを判断するようにしたので、伝送路へ出力するデータ量や伝送路の状態に応じて、音声ＩＰパケットのヘッダ圧縮および多重化を行うか行わないかを制御し、ＩＰパケットの連続廃棄による音声伝送の品質低下をできるだけ抑制するという効果がある。
【００７１】
以上のように、この発明によれば、多重化パケット出力制御部が、コネクション制御部から入力されるコネクション数、パケット送出部から入力される蓄積データ量、および伝送路の回線状態に基づいて、ヘッダを圧縮されたＩＰパケットの複製を行うか否かを判断するようにしたので、伝送路へ出力するデータ量や伝送路の状態に応じて、ヘッダを圧縮されたＩＰパケットの複製を行うか行わないかを制御し、ＩＰパケットの損失による音声伝送の品質低下をできるだけ抑制するという効果がある。
【図面の簡単な説明】
【図１】この発明の実施の形態１によるパケット通信装置の構成を示すブロック図である。
【図２】ＩＰヘッダ、ＵＤＰヘッダ、ＲＴＰヘッダの構成を示す図である。
【図３】ＴＣＲＴＰによるＩＰパケットのヘッダ圧縮および多重化処理の方法を示す図である。
【図４】ＣＲＴＰによる圧縮ヘッダの構成を示す図である。
【図５】ＴＣＲＴＰによる多重化ヘッダの構成を示す図である。
【図６】この発明の実施の形態２によるパケット通信装置の構成を示すブロック図である。
【符号の説明】
１００，２００  パケット集線装置、１０１  ＩＰパケット識別部、１０２  コネクション識別部、１０３，２０２  コネクション別制御部、１０４  切り替えスイッチ（第１の伝送方式選択部）、１０５  ヘッダ圧縮部、１０６，２０４多重化パケット組立部、１０７  パケット送出部、１０８  多重化パケット出力制御部（第１の伝送方式選択部）、２０１  切り替えスイッチ（第２の伝送方式選択部）、２０３  パケット複製部、２０５  多重化パケット出力制御部（第２の伝送方式選択部）、３０１  音声ＩＰパケット、３０２  ＣＲＴＰパケット、３０３  多重化パケット、３０４  ＩＰパケット。
【図１】
2004194232.tif 000003
【図２】
2004194232.tif 000004
【図３】
2004194232.tif 000005
【図４】
2004194232.tif 000006
【図５】
2004194232.tif 000007
【図６】
2004194232.tif 000008